(57)【要約】【課題】  外形を嵩高にすることなく、表面結露の影響を回避しながら体裁良くペットボトルを携帯することを可能とし、清涼飲料の飲用時等、ペットボトルの使用時においては、ペットボトルを外部に取り出すことなく、ペットボトルを収納したままの状態で飲用可能なペットボトル携帯容器を提供する。【解決手段】  筒状の容器本体１０と、中心部に位置決め孔Ｈ２を有する内蓋２０と、外蓋３０とからなり、収納するペットボトルＰＢのキャップ部を内蓋２０の位置決め孔Ｈ２を介して外部に出した状態で容器本体１０に収納し、次いで、外部に突出しているペットボトルＰＢのキャップ部を覆うように容器本体１０に外蓋３０を取り付けて携帯する。清涼飲料等の飲用時には、外蓋３０のみを容器本体１０から取り外し、ペットボトルＰＢのキャップ部のみを外側に出して使用することができる。【選択図】  図１
2005145510.tif 000002
【特許請求の範囲】
【請求項１】
一端を開口部とするとともに他端に底面を一体成形した筒状の容器本体と、中心部に位置決め孔を有し容器本体の開口部の内壁面に添わせて着脱自在に嵌着する内蓋と、容器本体の開口部の外壁面に添わせて着脱自在に嵌着する外蓋とからなり、
前記容器本体は、横断面形状を隅丸多角形として形成されるとともに、該容器本体の底面には、収納するペットボトルの底面の凹凸もしくは凹陥部に噛合する回り止め突起が形成され、前記内蓋は、外周部にテーパ側面を有し収納するペットボトルのキャップ部を位置決め孔を介して外部に突出した状態において、前記容器本体の開口部の内壁面にテーパ側面で接触して緊密に嵌着され、前記外蓋は、容器本体の凸条と蓋内面に設けた凹条との嵌合させて、弾性結合によって容器本体の開口部の外壁面に嵌着すること、を特徴とする、樹脂製のペットボトル携帯容器。
【発明の詳細な説明】
【技術分野】
【０００１】
本発明は、外出等において、内容物を収容したペットボトルを携帯するに際して、そのペットボトルを収納して携帯することによって、ペットボトルをそのまま携帯することによる不都合を解消することができるように工夫した樹脂製のペットボトル携帯容器に関する。
【背景技術】
【０００２】
ペットボトル入りの商品としての清涼飲料等に止まらず、水利環境に対する不信感等から飲料水を買って飲む機会が増加し、これら飲料の容器としてペットボトルが普及している。しかし、ペットボトルをそのまま携帯することに関しては、次のような問題が生じる。
【０００３】
例えば、スーツ姿のサラリーマンがビジネスバッグと共にペットボトルを持ち歩く様は、いかにも不似合いである。これは、ペットボトルそのものには、漆器のように塗装や絵付けして模様をつけることができず、そのため高級感が欠けているからである。そこで、ペットボトルを皮又は布製のようなビジネスバッグ内に入れると、バッグが異様に膨らんでしまい外形が異形化するとともに、ペットボトルの表面に結露した水滴によって、書類が濡れてしまう。一方、大きなサイズのバッグ等に入れて持ち歩く場合においては、ペットボトルがバッグ内で転動して極めて不愉快を感じる。また、ペットボトルは、液体の収納容器としては、極めて薄く成形されており、これを硬質で角張った物と共にバッグ等に詰め込んで携帯した場合に、ペットボトルが破損し、内容物が流出する危険が伴う。
【０００４】
ペットボトルを快適に携帯可能としたいという需要者の要望に応えるためには、少なくとも、直接的に上記４点の問題点、すなわち、そのまま携帯するには高級感を欠いているという問題、表面の結露が同時に携帯する物品を濡らす問題、バッグ等内において安定しないという問題および破損し易いという問題を解消することが必要であり、間接的には、これらの要望をペットボトル内の清涼飲料等を使用する際にも維持する観点から、ペットボトルを外部に取り出すことなく収納したままの状態で使用する機能が要求される。
【０００５】
ペットボトルの携帯に関するこのような問題は、ペットボトル自体がそのまま携帯されることを予定しないで開発されたこともあり、従来、問題提示されていないようであるが、本発明に関係するところの容器を他の容器内に収納するという技術思想を有する先行技術例を以下に示す。
【０００６】
【特許文献１】実公昭３１−２０８８号公報
【特許文献２】実開昭６４−９１４１号公報
【特許文献３】実開平２−１１７３７１号公報
【特許文献４】実用新案登録第３０９１１１１号公報
【特許文献５】特開２０００−７０３６号公報
【０００７】
上記文献に示される従来の技術内容は、専ら緩衝の目的で、または他の目的と併せた緩衝目的を有するものである。すなわち、従来、容器を容器または容器類似の包装手段に収納するものは、何らかの意味において緩衝の目的を有している。例えば、特許文献１に示される買物袋は、側面部に独立した複数の空気室を備えるビニール製の手提げ袋として構成され、複数の空気室に空気を閉じ込めた状態で内部にビール瓶や一升瓶等を収納することによって、携帯中における瓶の破損を防止する目的である。
【０００８】
特許文献２に示される壜緩衝体は、壜を化粧箱に包装する際に使用し、収納された壜が箱内で転動しないように姿勢保持するものであり、塩化ビニール等の樹脂の薄板を壜の半分を嵌め込み可能な凹型に型押し加工したものである。また、特許文献３に示される包装体は、瓶に収納された飲料を自動販売機によって販売する際に利用されるものであり、所定の操作によって自動販売機の取出し口に落下する飲料瓶の破損を防止するものである。
【０００９】
特許文献４に示されるボトル用緩衝搬送容器は、内側筒と外側筒との間に空気を閉じ込めてクッションとすることで、搬送中におけるボトルの破損を防止し、また、特許文献５に示される瓶体搬送用包装体も同様の趣旨に基づくものである。
【００１０】
上記文献に示される技術には、ペットボトルの携帯に応用可能な構成を有するものもあるが、本来目的とするところが異なることもあり、従来の技術をそのままペットボトルの携帯に応用すれば、例えば、空気室やクッション構造等を備えることにより外形が嵩高となる。化粧箱に収納することを前提としていることにより、そのまま携帯することが困難である。また、瓶の破損を防止すると過信して、手荒く取り扱い、実際に瓶を破損してしまう虞がある。そして、全体を取出さなければ内部の容器の使用ができない等の問題を生じる。
【発明の開示】
【発明が解決しようとする課題】
【００１１】
本発明は、従来の技術を応用してペットボトルを携帯しようとするときに生じる上記の諸問題を解決することを目的とする。つまり、外形を嵩高にすることなく、表面結露の影響を回避しながら体裁良くペットボトルを携帯することを可能とし、清涼飲料の飲用時等、ペットボトルの使用時においては、ペットボトルを外部に取り出すことなく収納したままの状態で飲用可能とすることである。
【課題を解決するための手段】
【００１２】
本発明に係る樹脂製のペットボトル携帯容器は、一端を開口部とするとともに他端に底面を一体成形した筒状の容器本体と、中心部に位置決め孔を有し容器本体の開口部の内壁面に添わせて着脱自在に嵌着する内蓋と、容器本体の開口部の外壁面に添わせて着脱自在に嵌着する外蓋とからなり、容器本体は、横断面形状を隅丸多角形として形成されるとともに、容器本体の底面には、収納するペットボトルの底面の凹凸もしくは凹陥部に噛合する回り止め突起が形成され、内蓋は、外周部にテーパ側面を有し、収納するペットボトルのキャップ部を位置決め孔を介して外部に突出した状態において、前記容器本体の開口部の内壁面にテーパ側面で接触して緊密に嵌着され、また、外蓋は、容器本体の凸条と蓋内面に設けた凹条とを嵌合させて弾性結合によって本体の開口部の外壁面に嵌着することを特徴とする。
【００１３】
この構成では、容器本体の開口部から容器本体内にペットボトルを収納することができる。容器本体の底面には、回り止め突起が形成されており、この回り止め突起は、収納されたペットボトルの底面の凹凸もしくは凹陥部と係合する。この状態で容器本体の開口部に内蓋を嵌め込むように取り付ける。このとき、内蓋の外周部のテーパ側面は、開口部の内壁面側に緊密に嵌まり込む。したがって、容器本体の開口部は、内蓋によって補強されることとなり、開口部の潰れ変形が阻止されるとともに、内部のペットボトルが保護される。また、ペットボトルは、そのキャップ部が内蓋の位置決め孔を介して外部に突出することによって、容器本体の中心部に位置決めされ、また、ペットボトルは、キャップ部を外部に突出させた状態において内蓋によって下方に押さえ込まれるので、ペットボトルの上下動も阻止される。
【００１４】
一方、外蓋は、容器本体の開口部の変形が内蓋によって阻止される結果、凸条と凹条との嵌合による弾性結合（スナップアクション）の作用が失われないので、簡単に開口部の外壁面に嵌着することができる。ペットボトルに収納された清涼飲料等を飲用に際して、外蓋を取り外すと、ペットボトルのキャップ部のみが現れる。ペットボトルは、回り止め突起によって容器本体との相対回転が阻止されているから、そのキャップは、通常の操作によって簡単に取り外すことが可能であり、この結果、ペットボトルを容器本体から取り出すことなく利用することができる。
【発明の効果】
【００１５】
本発明の樹脂製のペットボトル携帯容器は、収納するペットボトルのキャップ部を内蓋の位置決め孔を介して外部に出した状態で容器本体に収納し、次いで、外部に突出しているペットボトルのキャップ部を覆うように本体に外蓋を取り付けて携帯することができるので、そのままの携帯に際しての体裁が良く、他の物品と共にバッグ等に入れて携帯する場合における結露の問題および容器本体の横断面形状を隅丸多角形としているのでバッグ内での転動の問題も解決される。また、ペットボトル内の清涼飲料等の飲用時には、外蓋のみを本体から取り外し、ペットボトルのキャップ部のみを外に出して使用することができるので、飲用時においても体裁を維持することができる。さらには、容器本体及び外蓋の樹脂材料には顔料を混入して成形するか、漆塗料（合成樹脂塗料）を塗布あるいは絵付けして、外観を良好にすることができる。
【発明を実施するための最良の形態】
【００１６】
以下図面を引用しながら本発明に係る樹脂製のペットボトル携帯容器１０Ａの実施の形態を説明する。ペットボトル携帯容器１０Ａは、金型を用いての射出成形によって製造される。ペットボトル携帯容器１０Ａの形態に関して射出成形上の困難を伴なうところはなく、したがって、材料樹脂としては、ＡＢＳ樹脂をはじめとして、ＰＰ、ＰＥ、ＰＥＴ、ＰＢＴ、その他の熱可塑性樹脂を主として汎用樹脂材料を広く用いることが可能である。
【００１７】
ペットボトル携帯容器１０Ａは、容器本体１０と、内蓋２０と、外蓋３０とからなる（図１，図２）。容器本体１０は、使用状態において上側となる一端を開口部Ｈ１とし、四周に位置する側面１１，１１…と底面１２との５面により、角型の筒状に構成されている。ただし、各面と面とが交わる角隅部分には、大きなアールは付けられ、この結果、容器本体１０の横断面形状は、隅丸多角形となっている。手に持ったときに馴染みが良く、しかも回り難いものとする趣旨であり、この趣旨から、容器本体１０は、隅丸の５角形以上の多角形としても支障ない。また、容器本体１０における多角形の横断面形状は、多角形の横断面形状を有するペットボトルＰＢを収納したときの回り止めとして機能させることも考慮されている。
【００１８】
容器本体１０の側面部には、開口部Ｈ１から少し下がった位置に、容器本体１０を取り巻くようにして蓋当てリブ１５が形成されている。この蓋当てリブ１５は、外蓋３０の下端面を受け止めることによって外蓋３０を位置決めするものである。また、蓋当てリブ１５の上側には、蓋当てリブ１５に沿って、複数の凸条１６，１６…が形成されている。
【００１９】
一方、容器本体１０の底面１２には、２種類の回り止め突起１３，１４が設けられている（図２，図３）。このうち、高さが低い一対の回り止め突起１３，１３は、底面１２の周囲よりに配置され、高さの高い回り止め突起１４は、底面１２の中心寄りに配置されている。また、この回り止め突起１４の上端には、底面１２の中心に向かって高さを増す傾斜が付けられている。なお、回り止め突起１４が回り止めとして機能させるためには、底面１２の中心に配置しないことが重要である。
【００２０】
内蓋２０は、中心部に収納するペットボトルＰＢのキャップ部を通過させることができる直径の位置決め孔Ｈ２を有し、外周部には、テーパ側面２５を有する（図４（Ａ），（Ｂ），（Ｃ））。位置決め孔Ｈ２の周囲には、下向きの押さえリブ２１が形成され、テーパ側面２５の上端外周部には、ストッパリブ２２がいずれも全周にわたって形成されている。押さえリブ２１とストッパリブ２２との間には、内蓋の表面に位置する環状溝２３と、内蓋２０の裏面に位置する環状溝２４とが同心円配置で形成され、この結果として、位置決め孔Ｈ２とテーパ側面２５との間の蓋面は、ジグザグに屈曲した状態とされている。そして、このジグザグによりテーパ側面２５に弾性変形の範囲を多く与えているのである。このような構造に内蓋２０は、容器本体１０の開口部Ｈ１の内壁面に添わせて緊密に嵌着することができる（図５）。このときストッパリブ２２は、容器本体１０の側面１１…の上端面に突き当たって位置決めされる。
【００２１】
外蓋３０は、四周の側面３１…と蓋面３２との５面からなり、各面の境界が判然しない結果となる大きなアールが付けられている。外蓋３０の側面３１…の下端寄りの内側面には、容器本体１０側の凸条１６…に対応して凹条３３が設けられている。この外蓋３０は、容器本体１０の開口部Ｈ１の外壁面に添わせて弾性結合（スナップアクション）によって着脱自在に嵌着することができる。この際のスナップアクションは、凸条１６と凹条３３の弾性的な嵌合によって実現される。
【００２２】
従って、外蓋３０を容器本体１０から外したいときは、容器本体１０を片手に持ち、その片方の手には外蓋３０を持って、互いに反対方向に捻りながら上下方向に引くと、容易にその嵌合を解くことができる。
【００２３】
ペットボトルＰＢは、先ず、容器本体１０の開口部Ｈ１から内部に落とし込み、次いで、容器本体１０に内蓋２０を取り付け、さらに容器本体１０の外蓋３０を取り付けることにより、ペットボトル携帯容器１０Ａに収納することができる。収納されたペットボトルは、容器本体１０の底面１２の回り止め突起１３，１４と内蓋の押さえリブ２１とによって上下方向から拘束される。
【００２４】
ペットボトルＰＢ内の飲料を使用するときには、外蓋３０のみを取り外せば足りる。すなわち、外蓋３０を取り外すと内蓋２０の位置決め孔Ｈ２からキャップ部が現れる。このとき、ボトルネックＰ２以下の部分は内蓋２０に隠されて見えないので、体裁を害することはない。次いで、キャップＰ１を回して外せばよい。ペットボトルＰＢの底面Ｐ３の凹凸が回り止め突起１３，１４と噛み合っているので、横断面形状が円形のペットボトルであっても共回りが有効に阻止される。
【図面の簡単な説明】
【００２５】
【図１】本発明の実施の形態における使用状態の斜視図。
【図２】本発明の実施の形態における容器本体の半裁断面図。
【図３】本発明の実施の形態における容器本体の平面図。
【図４】（Ａ）は、本発明の実施の形態における内蓋の半裁平面図。              （Ｂ）は、本発明の実施の形態における内蓋の断面図              （Ｃ）は、本発明の実施の形態における内蓋の半裁底面図。
【図５】本発明の実施の形態における使用状態の断面図。
【符号の説明】
【００２６】
ＰＢ      ペットボトル
Ｐ１      キャップ
Ｐ３      ペットボトルの底面
Ｈ１      開口部
Ｈ２      位置決め孔
１０Ａ    ペットボトル携帯容器
１０      容器本体
１３      回り止め突起
１４      回り止め突起
１６      凸条
２０      内蓋
２５      テーパ側面
３０      外蓋
３３      凹条
【図１】
2005145510.tif 000003
【図２】
2005145510.tif 000004
【図３】
2005145510.tif 000005
【図４】
2005145510.tif 000006
【図５】
2005145510.tif 000007